(57)【特許請求の範囲】
【請求項１】
発信加入者がサービスアクセス情報を入力することにより情報提供サービスをアクセスする第１ステップと、
サービス交換点が該第１ステップにおいて入力された該サービスアクセス情報を受けると、該サービス交換点がこれに応じてサービス制御点にアクセスする第２ステップと、
該サービス制御点が、該第２ステップでのアクセスに応じて該サービスアクセス情報に対応する所望のサービス処理を実行して、その処理結果を該サービス交換点に通知する第３ステップと、
該サービス交換点が、該第３ステップでの処理結果に基づいて、インテリジェントネットワーク呼であることが着信局において判別できる手法を用いて、情報提供サービスを持つ着信加入者を収容する着信局に接続し、該着信加入者に着信させる第４ステップとをそなえ、
かつ、該インテリジェントネットワーク呼である場合は、該サービス交換点が、該第３ステップでの処理結果に基づいて、情報提供サービス専用の信号ルートを使用することにより、情報提供サービスを持つ着信加入者を収容する着信局に接続して、該着信加入者に着信させるように、該第４ステップが構成されていることを特徴とする、インテリジェントネットワークにおけるインテリジェントネットワーク呼着信方法。
【請求項２】
該着信局では、予め該着信加入者の加入者データ上に情報提供サービス表示を持たせておくとともに、該情報提供サービス専用の信号ルートの入トランクデータ上に情報提供サービスアクセス表示を設けておき、該情報提供サービス専用の信号ルートを使用した着信があると、該着信局において、このときの情報提供サービスアクセス表示と情報提供サービス表示とを比較して、その比較結果に応じて、該着信加入者に着信させるかどうかを決定する過程が、該第４ステップに設けられていることを特徴とする請求項１記載のインテリジェントネットワークにおけるインテリジェントネットワーク呼着信方法。
【請求項３】
発信加入者がサービスアクセス情報を入力することにより、付加課金の情報提供サービスをアクセスする第１ステップと、
サービス交換点が該第１ステップにおいて入力された該サービスアクセス情報を受けると、該サービス交換点がこれに応じてサービス制御点にアクセスする第２ステップと、
該サービス制御点が、該第２ステップでのアクセスに応じて該サービスアクセス情報に対応する所望のサービス処理を実行して、その処理結果を該サービス交換点に通知する第３ステップと、
該サービス交換点が、該第３ステップでの処理結果に基づいて、該付加課金の情報提供サービスにかかるインテリジェントネットワーク呼であることが着信局において判別できる手法を用いて、情報提供サービスを持つ着信加入者を収容する着信局に接続し、該着信加入者に着信させる第４ステップとをそなえ、
かつ、該付加課金の情報提供サービスにかかるインテリジェントネットワーク呼である場合は、該サービス交換点が、該第３ステップでの処理結果に基づいて、該付加課金の情報提供サービスにかかるインテリジェントネットワーク呼である旨の情報を付加した信号を該着信局に送り、該着信局においては、該付加課金の情報提供サービスにかかるインテリジェントネットワーク呼である旨の情報を付加した信号を受信すると、該付加課金の情報提供サービスを持っている着信加入者に着信させるか否かを判断してから、該着信加入者に着信させるように、該第４ステップが構成されていることを特徴とする、インテリジェントネットワークにおけるインテリジェントネットワーク呼着信方法。
【請求項４】
該付加課金の情報提供サービスにかかるインテリジェントネットワーク呼である旨の情報を付加した信号が、ＩＳＵＰ回線を通じて送られることを特徴とする、請求項３記載のインテリジェントネットワークにおけるインテリジェントネットワーク呼着信方法。
【請求項５】
該着信局では、予め該着信加入者の加入者データ上に付加課金の情報提供サービス表示を持たせておき、該着信局において、このときの該付加課金の情報提供サービスにかかるインテリジェントネットワーク呼である旨の情報と情報提供サービス表示とを比較して、その比較結果に応じて、該着信加入者に着信させるかどうかを決定する過程が、該第４ステップに設けられていることを特徴とする請求項３記載のインテリジェントネットワークにおけるインテリジェントネットワーク呼着信方法。
【請求項６】
サービス交換装置，サービス制御点および着信局をそなえたインテリジェントネットワークに使用され、発信加入者が入力したサービスアクセス情報を受けると、これに応じてサービス制御点にアクセスするとともに、該サービス制御点からのサービス処理結果を受けると、これに応じて情報提供サービスを持つ着信加入者を収容する着信局に該着信加入者に着信させるための信号を出力するサービス交換装置において、
該サービス制御点からのサービス処理結果を受けると、当該サービス交換装置と該着信局とを接続する情報提供サービス専用の信号ルートをハントするハント手段をそなえて構成されたことを特徴とする、インテリジェントネットワークに使用されるサービス交換装置。
【請求項７】
サービス交換装置，サービス制御点および着信局をそなえたインテリジェントネットワークに使用され、発信加入者が入力した付加課金のサービスアクセス情報を受けると、これに応じてサービス制御点にアクセスするとともに、該サービス制御点からのサービス処理結果を受けると、これに応じて付加課金の情報提供サービスを持つ着信加入者を収容する着信局に該着信加入者に着信させるための信号を出力するサービス交換装置において、
該サービス制御点からのサービス処理結果を受けると、該付加課金の情報提供サービスにかかるインテリジェントネットワーク呼であることが該着信局において判別できる情報を、着信局において、該付加課金の情報提供サービスを持っている着信加入者に着信させるか否かを判断させるために送信する送信手段をそなえて構成されたことを特徴とする、インテリジェントネットワークに使用されるサービス交換装置。
【請求項８】
該送信手段が、該サービス制御点からのサービス処理結果を受けると、ＩＳＵＰ回線に適合させて、該インテリジェントネットワーク呼である旨の情報を付加した信号を該着信局に送る手段として構成されていることを特徴とする、請求項７記載のインテリジェントネットワークに使用されるサービス交換装置。
【請求項９】
該送信手段が、該サービス制御点からのサービス処理結果を受けると、着信局において、発信加入者情報を表すダミー情報を該着信局に送る手段として構成されていることを特徴とする、請求項７記載のインテリジェントネットワークに使用されるサービス交換装置。
【請求項１０】
サービス交換点，サービス制御点および着信交換装置をそなえ、該サービス交換点が、発信加入者が入力したサービスアクセス情報を受けるとこれに応じてサービス制御点にアクセスするとともに、該サービス制御点からのサービス処理結果を受けるとこれに応じて情報提供サービスを持つ着信加入者を収容する該着信交換装置に該着信加入者に着信させるための信号を出力する、インテリジェントネットワークに使用される着信交換装置において、
情報提供サービス専用の信号ルートを収容する入トランクをそなえるとともに、
該入トランクを通じて入力されてきた該サービス交換点からの信号を受けると、該着信加入者に着信させる手段をそなえて構成されたことを特徴とする、インテリジェントネットワークに使用される着信交換装置。
【請求項１１】
該着信加入者の加入者データ上に情報提供サービス表示を持たせておく手段と、該入トランクのデータ上に情報提供サービスアクセス表示を設ける手段とをそなえるとともに、
該情報提供サービス専用の信号ルートを使用した着信があると、このときの情報提供サービスアクセス表示と情報提供サービス表示とを比較する比較手段と、
該比較手段での比較結果に応じて該着信加入者に着信させるかどうかを判定する判定手段と、
該判定手段での判定結果に基づいて該着信加入者に着信させる着信手段とをそなえていることを特徴とする請求項１０記載のインテリジェントネットワークに使用される着信交換装置。
【請求項１２】
サービス交換点，サービス制御点および着信交換装置をそなえ、該サービス交換点が、発信加入者が入力した付加課金のサービスアクセス情報を受けるとこれに応じてサービス制御点にアクセスするとともに、該サービス制御点からのサービス処理結果を受けるとこれに応じて該付加課金の情報提供サービスを持つ着信加入者を収容する着信交換装置に該着信加入者に着信させるための信号として該付加課金の情報提供サービスにかかるインテリジェントネットワーク呼である旨の情報を付加した信号を出力する、インテリジェントネットワークに使用される着信交換装置において、
該付加課金の情報提供サービスにかかるインテリジェントネットワーク呼である旨の情報を付加した信号を受けると、該付加課金の情報提供サービスを持っている着信加入者に着信させるか否かを判断してから、該着信加入者に着信させる手段をそなえて構成されたことを特徴とする、インテリジェントネットワークに使用される着信交換装置。
【請求項１３】
該着信加入者の加入者データ上に情報提供サービス表示を持たせる手段と、
該サービス交換点と当該着信交換装置とを接続するＩＳＵＰ回線を通じて送られてくる該インテリジェントネットワーク呼である旨の情報を付加した信号を受信する受信手段と、
該受信手段で受信された該インテリジェントネットワーク呼である旨の情報を付加した信号と情報提供サービス表示とを比較する比較手段と、
該比較手段での比較結果に応じて該着信加入者に着信させるかどうかを判定する判定手段と、
該判定手段での判定結果に基づいて該着信加入者に着信させる着信手段とをそなえていることを特徴とする請求項１２記載のインテリジェントネットワークに使用される着信交換装置。
【請求項１４】
該インテリジェントネットワーク呼である旨の情報を付加した信号が発信加入者情報を表すダミー情報信号として構成されるとともに、
該ダミー情報信号を受信すると該着信加入者に着信させる着信手段が設けられていることを特徴とする請求項１２記載のインテリジェントネットワークに使用される着信交換装置。
【発明の詳細な説明】
【０００１】
（目次）
産業上の利用分野
従来の技術（図２３）
発明が解決しようとする課題
課題を解決するための手段（図１）
作用（図１）
実施例
・第１実施例の説明（図２〜図９）
・第２実施例の説明（図１０〜図１５）
・第３実施例の説明（図１６〜図２２）
発明の効果
【０００２】
【産業上の利用分野】
本発明は、インテリジェントネットワークにおけるインテリジェントネットワーク呼着信方法並びにインテリジェントネットワークに使用されるサービス交換装置及び着信交換装置に関する。
【０００３】
【従来の技術】
インテリジェントネットワークにおけるサービス機能の一つとして、情報提供サービスがあるが、かかる情報提供サービスの課金方式として、その種々多様なサービスに応じて、様々な課金体系が採用されている。
例えば、日本国内で実施されているダイヤルＱ2 サービスのようなアディショナルレート（Additional-Rate ）のサービスの場合は、通常の料金の他に、提供する情報の種類に応じて、情報提供料として付加料金が加算されるようになっている。
【０００４】
次に、上記のようなアディショナルレートなサービスの提供を受ける場合について説明すると、まず、図２３に示すように、発信加入者１０１が発信時にそのサービスアクセスコード（Service Access Code (SAC) ：「1900xxxxxxx 」）をダイヤルすることにより（図２３の（１）参照）、サービスアクセスコードＳＡＣが、発信局１０６を経由して、サービス交換点局〔ＳＳＰ(Service Switching Point) 局〕１０２へ送られ、このＳＳＰ局１０２でインテリジェントネットワーク呼〔ＩＮ(Intelligent Network) 呼〕と認識されると、ＳＳＰ局１０２からＳＣＰ(Service Control Point) 局１０３に、このサービスアクセスコードＳＡＣに対する問合わせを行なう（図２３の（２）参照）。
【０００５】
ＳＣＰ局１０３では、データベース１０３Ａをアクセスして、ＳＳＰ局１０２から受け取った電番（加入者がダイヤルした番号）を実際に着信する番号（「777-1111」) へ変換し、変換ＯＫならば変換した電番をＳＳＰ局１０２に通知する（図２３の（３）参照）。
そして、ＳＳＰ局１０２では、その変換後の電番の加入者を収容している着信局（着信ＬＳ）１０４と接続し〔図２３の（４）参照〕、その呼を情報提供サービスを持っている加入者（Information Provider (ＩＰ))１０５に着信させる（図２３の（５）参照）。
【０００６】
これによりＳＳＰ局１０２とＳＣＰ局１０３において、その呼に対して通常の課金とアディショナルレート用のＡＭＡ等の特殊な課金処理が実施される。
【０００７】
【発明が解決しようとする課題】
しかしながら、このような従来のＩＮ呼の着信方法では、何らかの理由で、変換後のＩＰ１０５の電話番号（「777-1111」) が漏れ、発信加入者１０１が情報提供サービス用のサービスアクセスコードＳＡＣをダイヤルすることなしに、変換後のＩＰ１０５の電話番号をダイヤルすると（図２３の（１）′参照）、その呼は通常呼として、情報提供サービスを持っている加入者１０５に接続されてしまう（図２３の（２）′参照）。
【０００８】
このため、その呼に対しては、付加料金を加算することなしに、通常料金のみで、情報提供サービスを提供してしまうことになる。即ち、従来の手法では、情報提供サービスに対するバイパス呼を規制することができないという課題があるのである。
本発明は、このような課題に鑑み創案されたもので、情報提供サービスに対するバイパス呼を確実に規制できるようにした、インテリジェントネットワークにおけるインテリジェント呼着信方法並びにインテリジェントネットワークに使用されるサービス交換装置及び着信交換装置を提供することを目的とする。
【０００９】
【課題を解決するための手段】
図１は本発明の原理ブロック図で、この図１において、１は発信加入者、２はサービス交換点（サービス交換装置）、３はサービス制御点（サービス制御装置）、４は着信局（着信交換装置）、５は情報提供サービスを持つ着信加入者であり、サービス交換点２と着信局４とは信号網７を介して接続されている。インテリジェントネットワークは、これらのサービス交換点２，サービス制御点３および着信局４をそなえている。なお、図１においては、通話路は図示を省略されている。
【００１０】
ここで、発信加入者１は、サービスアクセス情報を入力することにより、着信加入者５の持っている情報提供サービスを受けることができるもので、サービス交換点２に接続されている。この情報提供サービスは、付加課金にかかるものとすることができる。
サービス交換点２は、発信加入者１が入力したサービスアクセス情報を受けると、これに応じてサービス制御点３にアクセスするとともに、サービス制御点３からのサービス処理結果を受けると、これに応じて情報提供サービスを持つ着信加入者５を収容する着信局４に着信加入者５に着信させるための信号を出力するもので、更にこのサービス交換点２は、サービス制御点３からのサービス処理結果を受けると、サービス交換点２と着信局４とを接続する情報提供サービス専用の信号ルート７−３をハントするハント手段２−１をそなえるか、サービス制御点３からのサービス処理結果を受けると、付加課金の情報提供サービスにかかるインテリジェントネットワーク呼であることが着信局４において判別できる情報を、着信局４において、付加課金の情報提供サービスを持っている着信加入者５に着信させるか否かを判断させるために送信する送信手段２−２をそなえている。
【００１１】
なお、送信手段２−２としては、サービス制御点３からのサービス処理結果を受けると、ＩＳＵＰ回線７′−３に適合させて、インテリジェントネットワーク呼である旨の情報を付加した信号を着信局４に送る手段として構成されてもよく、サービス制御点３からのサービス処理結果を受けると、発信加入者情報を表すダミー情報を着信局４に送る手段として構成されてもよい。
【００１２】
サービス制御点３は、サービス交換点２が発信加入者１からのサービスアクセス情報に応じてアクセスしてくると、このアクセスに応じサービスアクセス情報に対応する所望のサービス処理を実行して、その処理結果をサービス交換点２に通知するものである。
着信局４は、発信加入者１からの求めに応じて情報提供サービスを提供しうる着信加入者５を収容するものであるが、更に情報提供サービス専用の信号ルート７−３を収容する入トランク９−３をそなえるとともに、入トランク９−３を通じて入力されてきたサービス交換点２からの信号を受けると、付加課金の情報提供サービスを持っている着信加入者５に着信させるか否かを判断してから、着信加入者５に着信させる手段４−１をそなえるか、インテリジェントネットワーク呼である旨の情報を付加した信号を受けると、着信加入者５に着信させる手段４−２をそなえている。
【００１３】
なお、手段４−１をそなえるようにした場合は、着信加入者５の加入者データ上に情報提供サービス表示を持たせておく手段と、入トランク９−３のデータ上に情報提供サービスアクセス表示を設ける手段とをそなえるとともに、情報提供サービス専用の信号ルート７−３を使用した着信があると、このときの情報提供サービスアクセス表示と情報提供サービス表示とを比較する比較手段と、この比較手段での比較結果に応じて着信加入者５に着信させるかどうかを判定する判定手段と、この判定手段での判定結果に基づいて着信加入者５に着信させる着信手段とをそなえるようにする。
【００１４】
また、手段４−２をそなえるようにした場合は、次の（１）又は（２）のようにする。
（１）着信加入者５の加入者データ上に情報提供サービス表示を持たせる手段と、サービス交換点２と着信交換装置４とを接続するＩＳＵＰ回線７′−３を通じて送られてくるインテリジェントネットワーク呼である旨の情報を付加した信号を受信する受信手段と、この受信手段で受信されたインテリジェントネットワーク呼である旨の情報を付加した信号と情報提供サービス表示とを比較する比較手段と、この比較手段での比較結果に応じて着信加入者５に着信させるかどうかを判定する判定手段と、この判定手段での判定結果に基づいて着信加入者５に着信させる着信手段とをそなえる。
【００１５】
（２）インテリジェントネットワーク呼である旨の情報を付加した信号を、発信加入者情報を表すダミー情報信号として構成するとともに、ダミー情報信号を受信すると着信加入者５に着信させる着信手段を設けるようにする。
さらに、着信加入者５は情報提供サービスを持つもので、着信局４に収容されている。
【００１６】
なお、信号網７は複数の信号ライン７−１〜７−３（７′−１〜７′−３）で構成されており、各ラインの端部には、出トランク８−１〜８−３（８′−１〜８′−３）及び入トランク９−１〜９−３（９′−１〜９′−３）が設けられている。
【００１７】
【作用】
上述の本発明では、第１ステップで、発信加入者１がサービスアクセス情報を入力することにより情報提供サービスをアクセスし（図１（１）参照）、第２ステップで、サービス交換点２が第１ステップにおいて入力されたサービスアクセス情報を受けると、サービス交換点２がこれに応じてサービス制御点３にアクセスする（図１（２）参照）。
【００１８】
そして、第３ステップで、サービス制御点３が、第２ステップでのアクセスに応じてサービスアクセス情報に対応する所望のサービス処理を実行して、その処理結果をサービス交換点２に通知する（図１（３）参照）。
さらに、第４ステップで、サービス交換点２が、第３ステップでの処理結果に基づいて、インテリジェントネットワーク呼であることが着信局において判別できる手法を用いて、情報提供サービスを持つ着信加入者５を収容する着信局４に接続し、着信加入者５に着信させる（図１（４）参照）。
【００１９】
なお、インテリジェントネットワーク呼である場合は、サービス交換点２が、第３ステップでの処理結果に基づいて、そのハント手段２−１により、情報提供サービス専用の信号ルート７−３をハントすることにより、情報提供サービスを持つ着信加入者５を収容する着信局４に接続して、着信加入者５に着信させるようにしてもよい。
【００２０】
このとき、着信局４では、予め着信加入者５の加入者データ上に情報提供サービス表示を持たせておくとともに、情報提供サービス専用の信号ルート７−３の入トランクデータ上に情報提供サービスアクセス表示を設けておき、情報提供サービス専用の信号ルート７−３を使用した着信があると、着信局４において、このときの情報提供サービスアクセス表示と情報提供サービス表示とを比較して、その比較結果に応じて、着信加入者に着信させるかどうかを決定する。
【００２１】
また、インテリジェントネットワーク呼である場合、サービス交換点２が、第３ステップでの処理結果に基づいて、インテリジェントネットワーク呼である旨の情報を付加した信号を着信局４に送り、着信局４においては、インテリジェントネットワーク呼である旨の情報を付加した信号を受信すると、付加課金の情報提供サービスを持っている着信加入者５に着信させるか否か判断してから、着信加入者５に着信させるようにしてもよい。
【００２２】
このとき、インテリジェントネットワーク呼である旨の情報を付加した信号が、ＩＳＵＰ回線７′−３を通じて送られる。
またこのとき、着信局４では、予め着信加入者の加入者データ上に情報提供サービス表示を持たせておき、着信局４において、このときのインテリジェントネットワーク呼である旨の情報と情報提供サービス表示とを比較して、その比較結果に応じて、着信加入者５に着信させるかどうかを決定するようにする。
【００２３】
さらに、インテリジェントネットワーク呼である場合は、サービス交換点２が、第３ステップでの処理結果に基づいて、発信加入者情報としてダミー情報を着信局４に送り、着信局４においては、ダミー情報を受信すると、着信加入者５に着信させるようにしてもよい。
【００２４】
【実施例】
以下、図面を参照して本発明の実施例を説明する。
（ａ）第１実施例の説明
図２は本発明の第１実施例の概略構成を示すブロック図で、この図２に示すインテリジェントネットワークにおいては、発信加入者１１，発信局（発信交換装置）１６，サービス交換点（サービス交換装置）としてのＳＳＰ局１２，サービス制御点（サービス制御装置）としてのＳＣＰ局１３，着信局（着信交換装置）１４，情報提供サービスを持つ着信加入者１５が設けられており、ＳＳＰ局１２と着信局１４とは信号網１７を介して接続されている。
【００２５】
なお、信号網１７は、図３に示すように、複数の信号回線１７−１〜１７−３で構成され、ＭＦＣ，ＴＵＰ，ＩＳＵＰの回線等で構成され、その両端には、出トランク（ＯＧＴ：Out Going Trunk ）１８−１〜１８−３と入トランク（ＩＣＴ：In Coming Trunk ）１９−１〜１９−３が設けられている。ここで、ＭＦＣは個別線信号方式にかかるもので、ＴＵＰ，ＩＳＵＰは共通線信号方式にかかるものである。また、図２に示す符号２０は通話路である。
【００２６】
ここで、発信加入者１１は、サービスアクセス情報ＳＡＣを入力することにより、着信加入者１５の持っている情報提供サービスを受けることができるもので、発信局１６を介して、ＳＳＰ局１２に接続されている。
なお、発信局１６は、発信加入者１１を収容し、発信加入者１１からの発信を分析して、サービスアクセス情報ＳＡＣを含む発信であれば、それをＳＳＰ局１２へ転送するものである。
【００２７】
ＳＳＰ局１２は、発信加入者１１が入力したサービスアクセス情報ＳＡＣを受けると、これに応じてＳＣＰ局１３にアクセスするとともに、ＳＣＰ局１３からのサービス処理結果を受けると、情報提供サービス専用の信号ルート１７−３をハントして、情報提供サービスを持つ着信加入者１５を収容する着信局１４に着信加入者１５に着信させるための信号を出力するもので、このために、ＳＳＰ局１２は、スイッチ部１２Ａと制御部１２Ｂとをそなえた交換機能を有しているが、更にその信号制御系に着目すると、図３に示すように、サービス情報受信部１２−１，ＳＣＰアクセス部１２−２，ＳＣＰ通知情報受信部１２−３，予約回線ハント部（ハント手段）１２−４をそなえて構成されている。
【００２８】
ここで、サービス情報受信部１２−１は発信加入者１１からのサービスアクセス情報ＳＡＣを受信するもので、ＳＣＰアクセス部１２−２はサービス情報受信部１２−１で受信したサービスアクセス情報ＳＡＣに応じてＳＣＰ局１３にアクセスするもので、ＳＣＰ通知情報受信部１２−３はＳＣＰ局１３からのサービス処理結果（変換電番）を受けるものである。
【００２９】
また、予約回線ハント部１２−４は、ＳＣＰ通知情報受信部１２−３がＳＣＰ局１３からのサービス処理結果を受けると、これを受けて情報提供サービス専用の信号ルート１７−３をハントするものである。
さらに、ＳＣＰ局１３は、ＳＳＰ局１２が発信加入者１１からのサービスアクセス情報ＳＡＣに応じてアクセスしてくると、データベース１３Ａをアクセスして、ＳＳＰ局１２から受け取った電番（加入者がダイヤルした番号）を実際に着信する番号へ変換し、変換ＯＫならば変換した電番をＳＳＰ局１２に通知するものである。
【００３０】
着信局１４は、発信加入者１１からの求めに応じて情報提供サービスを提供しうる着信加入者１５を収容するとともに、情報提供サービス専用の信号ルート１７−３を収容する入トランク１９−３を通じて入力されてきたＳＳＰ局１２からの信号を受けると、着信加入者１５に着信させるるものであり、このために、着信局１４は、スイッチ部１４Ａと制御部１４Ｂとをそなえた交換機能を有しているが、更にその信号制御系に着目すると、図３に示すように、ＩＰ加入者データテーブル１４−１，入ＴＧクラスデータ読取部１４−２，比較部（比較手段）１４−３，判定部（判定手段）１４−４，着信部（着信手段）１４−５をそなえて構成されている。なお、この着信局１４は、コンジェショントーン（Congestion Tone ）ＣＴなどのトーンを出力するトーン接続部２１もそなえている。
【００３１】
ここで、ＩＰ加入者データテーブル１４−１は、着信加入者１５の加入者データＩＰＤ（図４参照）上に情報提供サービスでの規制の有無表示（図４の＊Ａ参照）を持たせておくもので、この表示＊Ａが「１」のときは情報提供サービス規制有、「０」のときは情報提供サービス規制無を意味する。
入ＴＧクラスデータ読取部１４−２は、入トランク１９−３のクラスデータＴＧＣＤ（図５参照）上に設けられた情報提供サービスアクセス表示（図５の＊Ｂ参照）を読み取るものである。なお、この情報提供サービスアクセス表示＊Ｂは予約回線ルート１７−３用表示で、「１」のときが情報提供サービス許容、「０」のときが情報提供サービス不許容を意味する。
【００３２】
比較部１４−３は、情報提供サービス専用の信号ルート１７−３を使用した着信があると、このときの情報提供サービスアクセス表示＊Ｂと情報提供サービス規制有無表示＊Ａとを比較するもので、判定部１４−４は、比較部１４−３での比較結果に応じて着信加入者１５に着信させるかどうかを判定するものであるが、具体的には、比較部１４−３で比較結果が共に「１」で一致していると、着信加入者１５に着信させる旨の判定をし、そうでないと、着信加入者１５への着信拒否の旨の判定をするようになっている。
【００３３】
着信部１４−５は、判定部１４−４での判定結果に基づいて、着信加入者１５に着信させるものであるが、判定部１４−４によって、着信加入者１５に着信させる旨の判定がされると、ＩＮ呼を着信加入者１５に着信させるが、着信加入者１５への着信拒否の旨の判定がされると、トーン接続部２１に接続させるようになっている。
【００３４】
上述の構成により、ＦＲＳ(Flexible Routing Service)の場合を例にした作用について説明する。
まず、ＦＲＳでは以下の様な３種類の課金方式を採っている。例えば、電番「１８００」，「１８０１」，「１９００」はそれぞれのサービスのアクセスコードの例とする。ここで、「１８００」は課金なし（No charge ）、「１８０１」は通常課金（Normal charge ）、「１９００」は付加課金（Additional charge ）をするものとする。
【００３５】
まず、ＩＰ（着信加入者）１５へのＩＮ呼が正常に着信する例を図６，８を用いて説明する。
前述のごとく、付加課金の情報提供サービスを持っている加入者１５の加入者データには‘＊Ａ＝１’（１：規制有）が設定されている。
そして、発信加入者１１が付加課金のサービス受ける場合は、サービスアクセスコードＳＡＣ“１９００”＋ＤＮ（ＤＮ：電番（例えば754-4183））をダイヤルするが、これにより、発信局１６にて発信分析・数字翻訳が行なわれ、発信局１６は更にＳＳＰ局１２へサービスアクセスコードを送る。
【００３６】
これを受けたＳＳＰ局１２では、ＩＮ呼と見なすと、“１９００”＋ＤＮを送ることにより、ＳＣＰ局１３に問い合わせを行なう。
そして、ＳＣＰ局１３では、データベース１３Ａをアクセスして、ＳＳＰ局１２から受け取った電番（加入者がダイヤルした番号）を実際に着信する番号（「777-1111」) へ変換し、変換ＯＫならば変換した電番をＳＳＰ局１２に通知する。
【００３７】
ＳＳＰ局１２はＳＣＰ局１３から変換された着信電番を受け取り、その呼がアディショナルレイトな呼であれば、専用信号ルート１７−３の出トランク１８−３をハントして、着信局１４に着信要求を出す。
このとき、アディショナルレイト専用のルート１７−３と接続される入トランク１９−３の入トランクグループクラスデータ（入ＴＧクラスデータ：In Coming Trunk Group class data）の情報提供サービスへのアクセス表示は「１（許容）」と設定されているため、着信局１４において、そのＩＰ表示の値＊Ａと入ＴＧクラスデータの値＊Ｂとを比較判定すると、共に「１」と一致しているため、判定結果ＯＫとなり、そのＩＰ１５に着信させることができる。
【００３８】
このときの信号シーケンスを示すと、図８のようになる。
これにより、発信加入者１１はアディショナルレイトの情報提供サービスを受けることが可能となる。
次に、ＩＰ（着信加入者）１５へのＩＮ呼が規制される例を図７，９を用いて説明する。
【００３９】
すなわち、発信加入者１１がサービスアクセスコードＳＡＣなしでダイレクトにアディショナルレイトのＩＰ１５の変換後の電番（「777-1111」) をダイヤルした場合は、発信局１６にて発信分析・数字翻訳が行なわれ、ＳＳＰ局１２へその情報が送られるが、ＳＳＰ局１２では、ＩＮ呼とは見なさず、その呼は通常の呼と見なすため、情報提供サービス専用の信号ルート１７−３以外の一般の通常ルート１７−１又は１７−２を通って着信局１４に着信要求が送られる。
【００４０】
着信局１４においては、通常ルート１７−１又は１７−２で使用される入トランク１９−１又は１９−２の入ＴＧクラスデータ（In Coming TG class data ）は情報提供サービスへのアクセス表示＊Ｂが「０：不許容」に設定されているので、着信局１４でのＩＰ１５の加入者データ上に持っているＩＰ表示＊Ａ（＝１:IP's DN with the screening facility) との比較結果が不一致となって、ＮＧとなり、これにより、そのアディショナルレイトのＩＰ１５に着信させずに、トーン接続部２１に接続して、コンジェショントーンＣＴを送る。
【００４１】
このときの信号シーケンスを示すと、図９のようになる。
このようにして、発信加入者１１がサービスアクセスコードＳＡＣなしでダイレクトにアディショナルレイトのＩＰ１５の変換後の電番をダイヤルしても、その呼が付加料金を加算されることなしにアディショナルレイトな情報提供サービスを受けることはできない。つまり、情報提供サービスに対するバイパス呼を確実に規制することができるのである。
【００４２】
すなわち、この第１実施例によれば、情報提供加入者１５の加入者データ上にＩＰ(Information Provider)表示を持たせ、且つ、入ＴＧクラスデータに情報提供サービスアクセス表示を持たせることにより、着信局１４でそれらの表示をチェックし、特殊サービス許容の呼かどうかを判定することで、発信加入者１１が特殊な情報提供サービス用のサービスアクセスコードをダイヤルすることなしにＩＰ１５へ着信することを規制し、付加料金が加算されることなしに通常料金のみで、特殊な情報提供サービスを受けることを確実に防止できるのである。
【００４３】
なお、この第１実施例において、発信加入者１１からの呼が発信局１６を介さずに直接ＳＳＰ局１２へ入力される場合もあるが、この場合は、ＳＳＰ局１２において、発信分析・数字翻訳が行なわれる。
（ｂ）第２実施例の説明
図１０は本発明の第２実施例を示すブロック図で、この図１０に示す第２実施例にかかるインテリジェントネットワークにおいても、発信加入者１１，発信局１６，サービス交換点（サービス交換装置）としてのＳＳＰ局１２，サービス制御点（サービス制御装置）としてのＳＣＰ局１３，着信局（着信交換装置）１４，情報提供サービスを持つ着信加入者１５が設けられており、ＳＳＰ局１２と着信局１４とは信号網１７′を介して接続されている。
【００４４】
なお、信号網１７′は複数の信号回線１７′−１〜１７′−３で構成されているが、更に例えば信号回線１７′−１はＭＦＣ、信号回線１７′−２はＴＵＰ、信号回線１７′−３はＩＳＵＰ回線で構成され、その両端には、出トランク（ＯＧＴ）１８′−１〜１８′−３と入トランク（ＩＣＴ）１９′−１〜１９′−３が設けられている。なお、図１０は、信号網に着目しているため、通話路は図示を省略されている。
【００４５】
ここで、発信加入者１１，発信局１６，ＳＣＰ局１３については、前述の第１実施例にかかるものと同じものであるので、その説明は省略する。
ＳＳＰ局１２は、発信加入者１１が入力したサービスアクセス情報ＳＡＣを受けると、これに応じてＳＣＰ局１３にアクセスするとともに、ＳＣＰ局１３からのサービス処理結果を受けると、ＩＳＵＰ回線１７′−３に適合させて、図１１に示すように、ＩＳＵＰメッセージにＩＮ呼であるかどうかという旨の情報（情報提供サービス用パラメータ）＊Ｃを付加した信号（ＩＮ呼情報付加信号）を送信して、情報提供サービスを持つ着信加入者１５を収容する着信局１４に着信加入者１５に着信させるための信号を出力するもので、このために、ＳＳＰ局１２は、図２で示すものと同様の構成、即ちスイッチ部１２Ａと制御部１２Ｂとをそなえた交換機能を有しているが、更にその信号制御系に着目すると、図１０に示すように、サービス情報受信部１２−１，ＳＣＰアクセス部１２−２，ＳＣＰ通知情報受信部１２−３，送信部（送信手段）１２−５をそなえて構成されている。
【００４６】
なお、情報提供サービス用パラメータ＊Ｃは情報提供サービス要（有）の場合は「１」、情報提供サービス不要（無）の場合は「０」である。
ここで、サービス情報受信部１２−１，ＳＣＰアクセス部１２−２，ＳＣＰ通知情報受信部１２−３については、前述の第１実施例で説明したものと同じであるので、その説明を省略する。
【００４７】
さらに、送信部１２−５は、ＳＣＰ通知情報受信部１２−３がＳＣＰ局１３からのサービス処理結果を受けると、ＩＳＵＰ回線１７′−３に適合させて、ＩＮ呼情報付加信号を送信して、情報提供サービスを持つ着信加入者１５を収容する着信局１４に着信加入者１５に着信させるための信号を出力するものである。
また、着信局１４は、発信加入者１１からの求めに応じて情報提供サービスを提供しうる着信加入者１５を収容するとともに、ＩＮ呼情報付加信号を受けると、これが情報提供サービス要（有）の情報を有している場合に、着信加入者１５に着信させるものであり、このために、着信局１４は、図２で示すものと同様の構成、即ちスイッチ部１４Ａと制御部１４Ｂとをそなえた交換機能を有しているが、更にその信号制御系に着目すると、図１０に示すように、ＩＰ加入者データテーブル１４−１，受信部１４−６，比較部（比較手段）１４−３′，判定部（判定手段）１４−４，着信部（着信手段）１４−５をそなえて構成されている。なお、この着信局１４は、トーン接続部２１もそなえている。
【００４８】
ここで、ＩＰ加入者データテーブル１４−１は、前述の第１実施例で用いたものと同じもので、着信加入者１５の加入者データＩＰＤ（図４参照）上に情報提供サービスでの規制の有無表示（図４の＊Ａ参照）を持たせておくものである。受信部１４−６は、ＩＳＵＰ回線１７′−３を通じて送られてくるＩＮ呼情報付加信号を受信するもので、比較部（比較手段）１４−３は、受信部１４−６で受信されたＩＮ呼情報付加信号の情報提供サービス用パラメータ＊Ｃと情報提供サービス表示＊Ａとを比較するもので、判定部１４−４は、比較部１４−３での比較結果に応じて着信加入者１５に着信させるかどうかを判定するものであるが、具体的には、比較部１４−３で比較結果が共に「１」で一致していると、着信加入者１５に着信させる旨の判定をし、そうでないと、着信加入者１５への着信拒否の旨の判定をするようになっている。
【００４９】
着信部１４−５は、判定部１４−４での判定結果に基づいて、着信加入者１５に着信させるものであるが、判定部１４−４によって、着信加入者１５に着信させる旨の判定がされると、ＩＮ呼を着信加入者１５に着信させるが、着信加入者１５への着信拒否の旨の判定がされると、トーン接続部２１に接続させるようになっている。
【００５０】
上述の構成により、この第２実施例においても、ＦＲＳ(Flexible Routing Service)の場合を例にした作用について説明する。
この第２実施例においても、以下の様な３種類の課金方式〔例えば、電番「１８００」，「１８０１」，「１９００」はそれぞれのサービスのアクセスコードの例とする。ここで、「１８００」は課金なし（No charge ）、「１８０１」は通常課金（Normal charge ）、「１９００」は付加課金（Additional charge ）をする〕を採用しているとする。
【００５１】
まず、ＩＰ（着信加入者）１５へのＩＮ呼が正常に着信する例を図１２，１４を用いて説明する。
この実施例においても、前述のごとく、付加課金の情報提供サービスを持っている加入者１５の加入者データには‘＊Ａ＝１’（１：規制有）が設定されている。
【００５２】
そして、発信加入者１１が付加課金のサービス受ける場合は、サービスアクセスコードＳＡＣ“１９００”＋ＤＮ（ＤＮ：電番（例えば754-4183））をダイヤルするが、これにより、発信局１６にて発信分析・数字翻訳が行なわれ、発信局１６は更にＳＳＰ局１２へサービスアクセスコードを送る。
これを受けたＳＳＰ局１２では、ＩＮ呼と見なすと、“１９００”＋ＤＮを送ることにより、ＳＣＰ局１３に問い合わせを行なう。
【００５３】
そして、ＳＣＰ局１３では、データベース１３Ａをアクセスして、ＳＳＰ局１２から受け取った電番（加入者がダイヤルした番号）を実際に着信する番号（「777-1111」) へ変換し、変換ＯＫならば変換した電番をＳＳＰ局１２に通知する。
ＳＳＰ局１２はＳＣＰ局１３から変換された着信電番を受け取り、その呼がアディショナルレイトな呼であれば、ＩＳＵＰ回線１７′−３の出トランク１８′−３をハントし、ＩＳＵＰのメッセージの中にアディショナルレイトを示すパラメータ＊Ｃ（＝１：ｅｘｉｓｔ）を追加して、着信局１４へ送る。
【００５４】
そして、着信局１４において、ＩＰ１５の値＊Ａとメッセージ内の追加パラメータの値＊Ｃ（exist:許容）とを比較すると、これらが共に「１」と一致しているため、判定結果ＯＫとなり、そのＩＰ１５に着信させることができる。
このときの信号シーケンスを示すと、図１４のようになる。
これにより、発信加入者１１はアディショナルレイトの情報提供サービスを受けることが可能となる。
【００５５】
次に、ＩＰ（着信加入者）１５へのＩＮ呼が規制される例を図１３，１５を用いて説明する。
すなわち、発信加入者１１がサービスアクセスコードＳＡＣなしでダイレクトにアディショナルレイトのＩＰ１５の変換後の電番（「777-1111」) をダイヤルした場合も、発信局１６にて発信分析・数字翻訳が行なわれ、ＳＳＰ局１２へその情報が送られるが、ＳＳＰ局１２では、ＩＮ呼とは見なさず、その呼は通常の呼と見なすため、ＭＦＣ／ＴＵＰ／ＩＳＵＰ回線１７′−１〜１７′−３のいずれかが使用されるが、もし仮にＩＳＵＰ回線１７′−３を使用した場合でも、ＩＳＵＰのメッセージの中にアディショナルレイトを示すパラメータ＊Ｃを「０」：ｎｏｔ  ｅｘｉｓｔ）にしておく。
【００５６】
したがって、着信局１４においては、ＭＦＣ／ＴＵＰ／ＩＳＵＰ回線１７′−１〜１７′−３のいずれかからの信号を受けても、着信局１４でのＩＰ１５の加入者データ上に持っているＩＰ表示＊Ａ（＝１:IP's DN with the screening facility) との比較結果は不一致となって、ＮＧとなり、これにより、そのアディショナルレイトのＩＰ１５に着信させずに、トーン接続部２１に接続して、コンジェショントーンを送る。
【００５７】
このときの信号シーケンスを示すと、図１５のようになる。
このようにして、発信加入者１１がサービスアクセスコードＳＡＣなしでダイレクトにアディショナルレイトのＩＰ１５の変換後の電番をダイヤルしても、その呼が付加料金を加算されることなしにアディショナルレイトの情報提供サービスを受けることはできない。つまり、情報提供サービスに対するバイパス呼を確実に規制することができるのである。
【００５８】
すなわち、この第２実施例によれば、情報提供加入者１５の加入者データ上にＩＰ(Information Provider)表示を持たせ、且つ、特殊な情報提供サービスアクセス時にＩＳＵＰメッセージに情報提供サービス用のパラメータを追加することにより、着信局１４でそれらの表示をチェックし、特殊サービス許容の呼かどうかを判定することで、発信加入者１１が特殊な情報提供サービス用のサービスアクセスコードをダイヤルすることなしにＩＰ１５へ着信することを規制し、付加料金が加算されることなしに通常料金のみで、特殊な情報提供サービスを受けることを確実に防止できるのである。
【００５９】
なお、この第２実施例においても、発信加入者１１からの呼が発信局１６を介さずに直接ＳＳＰ局１２へ入力される場合もあるが、この場合は、ＳＳＰ局１２において、発信分析・数字翻訳が行なわれる。
（ｃ）第３実施例の説明
図１６は本発明の第３実施例を示すブロック図で、この図１６に示す第３実施例にかかるインテリジェントネットワークにおいては、発信加入者１１，サービス交換点（サービス交換装置）としてのＳＳＰ局１２，サービス制御点（サービス制御装置）としてのＳＣＰ局１３，着信局（着信交換装置）１４，情報提供サービスを持つ着信加入者１５が設けられており、ＳＳＰ局１２と着信局１４とは信号網１７を介して接続されている。
【００６０】
なお、信号網１７は複数の信号回線１７−１〜１７−３で構成されているが、更にこれらの回線１７−１〜１７−３は例えばＭＦＣ，ＴＵＰ，ＩＳＵＰ回線で構成され、その両端には、出トランク（ＯＧＴ）１８−１〜１８−３と入トランク（ＩＣＴ）１９−１〜１９−３が設けられている。なお、図１６は、信号網に着目しているため、通話路は図示を省略されている。
【００６１】
ここで、発信加入者１１，ＳＣＰ局１３については、前述の第１，２実施例にかかるものと同じものであるので、その説明は省略する。
ＳＳＰ局１２は、発信加入者１１が入力したサービスアクセス情報ＳＡＣを受けると、これに応じてＳＣＰ局１３にアクセスするとともに、ＳＣＰ局１３からのサービス処理結果を受けると、発信加入者情報を表すダミー情報としてのダミー電番を送信して、情報提供サービスを持つ着信加入者１５を収容する着信局１４に着信加入者１５に着信させるための信号を出力するもので、このために、ＳＳＰ局１２は、図２で示すものと同様の構成、即ちスイッチ部１２Ａと制御部１２Ｂとをそなえた交換機能を有しているが、更にその信号制御系に着目すると、図１６に示すように、サービス情報受信部１２−１，ＳＣＰアクセス部１２−２，ＳＣＰ通知情報受信部１２−３，ダミー電番送信部（送信手段）１２−６をそなえて構成されている。
【００６２】
ここで、サービス情報受信部１２−１，ＳＣＰアクセス部１２−２，ＳＣＰ通知情報受信部１２−３については、前述の第１，２実施例で説明したものと同じであるので、その説明を省略する。
さらに、ダミー電番送信部１２−６は、ＳＣＰ通知情報受信部１２−３がＳＣＰ局１３からのサービス処理結果を受けると、着信電番に加えてダミー電番を送信して、情報提供サービスを持つ着信加入者１５を収容する着信局１４に着信加入者１５に着信させるための信号を出力するものである。
【００６３】
従って、このＳＳＰ局１２では、発信加入者１１からのサービスアクセス情報を受けると（図１９のステップＡ１）、ＳＣＰ局１３へ問い合わせを行ない（図１９のステップＡ２）、その後、ＳＣＰ局１３からの処理結果通知を受けると（図１９のステップＡ３）、発電番としてダミー電番を設定して（図１９のステップＡ４）、着信局１４に転送することが行なわれるのである。
【００６４】
また、着信局１４は、発信加入者１１からの求めに応じて情報提供サービスを提供しうる着信加入者１５を収容するとともに、発信加入者のダミー電番を受けると、着信加入者１５に着信させるものであり、このために、着信局１４は、図２で示すものと同様の構成、即ちスイッチ部１４Ａと制御部１４Ｂとをそなえた交換機能を有しているが、更にその信号制御系に着目すると、図１６に示すように、ダミー電番受信部１４−７，判定部（判定手段）１４−４，着信部（着信手段）１４−５をそなえて構成されている。なお、この着信局１４は、トーン接続部２１もそなえている。
【００６５】
ここで、ダミー電番受信部１４−７はダミー電番を受信するもので、判定部１４−４は、ダミー電番受信部１４−７でダミー電番が受信されると着信加入者１５に着信させる旨の判定をし、そうでないと、着信加入者１５への着信拒否の旨の判定をするものである。
着信部１４−５は、判定部１４−４での判定結果に基づいて、着信加入者１５に着信させるものであるが、判定部１４−４によって、着信加入者１５に着信させる旨の判定がされると、ＩＮ呼を着信加入者１５に着信させるが、着信加入者１５への着信拒否の旨の判定がされると、トーン接続部２１に接続させるようになっている。
【００６６】
従って、着信局１４では、ＳＳＰ局１２からの着電番を受信すると（図２０のステップＢ１）、ダミー電番が受信されたどうかの判定をし（図２０のステップＢ２：選択着信）、そうであれば、図２０のステップＢ３のＹｅｓルートをとって、着信加入者１５に着信させ（図２０のステップＢ４）、そうでなければ、図２０のステップＢ３のＮｏルートをとって、トーン接続部２１に接続させるのである（図２０のステップＢ５）。
【００６７】
上述の構成により、この第３実施例においても、ＦＲＳ(Flexible Routing Service)の場合を例にした作用について説明する。
この第３実施例においても、以下の様な３種類の課金方式〔例えば、電番「１８００」，「１８０１」，「１９００」はそれぞれのサービスのアクセスコードの例とする。ここで、「１８００」は課金なし（No charge ）、「１８０１」は通常課金（Normal charge ）、「１９００」は付加課金（Additional charge ）をする〕を採用しているとする。
【００６８】
まず、ＩＰ（着信加入者）１５へのＩＮ呼が正常に着信する例を図１７，２１を用いて説明する。
発信加入者１１が付加課金のサービス受ける場合は、サービスアクセスコードＳＡＣ“１９００”＋ＤＮ（ＤＮ：電番（例えば754-4183））をダイヤルするが、これにより、ＳＳＰ局１２にて発信分析・数字翻訳が行なわれる。
【００６９】
その後、ＳＳＰ局１２では、ＩＮ呼と見なすと、“１９００”＋ＤＮを送ることにより、ＳＣＰ局１３に問い合わせを行なう。
そして、ＳＣＰ局１３では、データベース１３Ａをアクセスして、ＳＳＰ局１２から受け取った電番（加入者がダイヤルした番号）を実際に着信する番号（「777-1111」) へ変換し、変換ＯＫならば変換した電番をＳＳＰ局１２に通知する。
【００７０】
ＳＳＰ局１２はＳＣＰ局１３から変換された着信電番を受け取り、その呼がアディショナルレイトな呼であれば、発信電番 (754-4183) をダミー電番( 例えば000-0000) に変更し、このダミー電番を着信電番に加えて、着信局１４へ送信する。このとき、信号ラインはどのラインを通ることもできる。
そして、着信局１４において、着信分析を行ない、発信電番がダミー電番に変わっていることを見つけると、判定結果ＯＫとなり、ＩＰ１５に着信させることが行なわれる。
【００７１】
このときの信号シーケンスを示すと、図２１のようになる。
これにより、この場合も、発信加入者１１はアディショナルレイトの情報提供サービスを受けることが可能となる。
次に、ＩＰ（着信加入者）１５へのＩＮ呼が規制される例を図１８，２２を用いて説明する。
【００７２】
すなわち、発信加入者１１がサービスアクセスコードＳＡＣなしでダイレクトにアディショナルレイトのＩＰ１５の変換後の電番（「777-1111」) をダイヤルした場合も、発信局１６にて発信分析・数字翻訳が行なわれ、ＳＳＰ局１２へその情報が送られるが、ＳＳＰ局１２では、ＩＮ呼とは見なさず、その呼は通常の呼と見なすため、発信電番は変更せずに、この発信電番を着信電番に加えて、着信局１４へ送信する。
【００７３】
したがって、この場合は、着信局１４において、着信分析を行なった結果、発信電番がダミー電番に変わっていないことを見つけるため、判定結果ＮＧとなり、これにより、そのアディショナルレイトのＩＰ１５に着信させずに、トーン接続部２１に接続して、コンジェショントーンＣＴを送る。
このときの信号シーケンスを示すと、図２２のようになる。
【００７４】
このようにして、発信加入者１１がサービスアクセスコードＳＡＣなしでダイレクトにアディショナルレイトのＩＰ１５の変換後の電番をダイヤルしても、その呼が付加料金を加算されることなしにアディショナルレイトの情報提供サービスを受けることはできない。つまり、情報提供サービスに対するバイパス呼を確実に規制することができるのである。
【００７５】
すなわち、この第３実施例によれば、ＩＮ呼である場合は、ＳＳＰ局１２が、発信加入者情報としてダミー情報を着信局１４に送り、着信局１４においては、ダミー情報を受信すると、着信加入者１５に着信させることで、発信加入者１１が特殊な情報提供サービス用のサービスアクセスコードをダイヤルすることなしにＩＰ１５へ着信することを規制し、付加料金が加算されることなしに通常料金のみで、特殊な情報提供サービスを受けることを確実に防止できるのである。
【００７６】
なお、この第３実施例において、発信加入者１１からの呼が発信局１６を介してＳＳＰ局１２へ入力される場合もあるが、この場合は、発信局１６において、発信分析・数字翻訳が行なわれ、発信局１６は更にＳＳＰ局１２へサービスアクセスコードを送るようになる。
【００７７】
【発明の効果】
以上詳述したように、本発明のインテリジェントネットワークにおけるインテリジェント呼着信方法によれば、サービス交換点が、付加課金の情報提供サービスにかかるインテリジェントネットワーク呼であることが着信局において判別できる手法を用いて、情報提供サービスを持つ着信加入者を収容する着信局に接続し、着信加入者に着信させることを行なうので、正当な情報提供サービスの要求に対しては的確にこのサービスを提供する一方、情報提供サービスに対するバイパス呼に対しては確実にこのサービスの提供を規制することができる。
【００７８】
また、インテリジェントネットワーク呼であることが着信局において判別できる手法として、着信加入者データ上に情報提供サービス表示を持たせ、且つ、入トランクに情報提供サービスアクセス表示を持たせたり、或いは特殊な情報提供サービスアクセス時にＩＳＵＰメッセージに情報提供サービス用のパラメータを追加する手法を採用することができ、このようにすることにより、着信局でそれらの表示をチェックし、特殊サービス許容の呼かどうかを判定することで、発信加入者が特殊な情報提供サービス用のサービスアクセス情報をダイヤルすることなしに、情報提供着信加入者へ着信することを確実に規制することができる。その結果、このような場合においても、付加料金が加算されることなしに通常料金のみで特殊な情報提供サービスを受けることを確実に防止することができる。
【００７９】
また、インテリジェントネットワーク呼である場合は、サービス交換点が、発信加入者情報を表すダミー情報を着信局に送り、着信局においては、ダミー情報を受信すると、着信加入者に着信させることもでき、このようにすれば、簡素な手法により、正当な情報提供サービスの要求に対しては的確にこのサービスを提供する一方、情報提供サービスに対するバイパス呼に対しては確実にこのサービスの提供を規制することができる。
【００８０】
また、本発明のインテリジェントネットワークに使用されるサービス交換装置によれば、サービス制御点からのサービス処理結果を受けると、当該サービス交換装置と着信局とを接続する情報提供サービス専用の信号ルートをハントするハント手段をそなえるか、サービス制御点からのサービス処理結果を受けると、付加課金の情報提供サービスにかかるインテリジェントネットワーク呼であることが着信局において判別できる情報を、着信局において、付加課金の情報提供サービスを持っている着信加入者に着信させるか否かを判断させるために送信する送信手段をそなえて構成されているので、正当な情報提供サービスの要求に対しては的確にこのサービスを提供する一方、情報提供サービスに対するバイパス呼に対しては確実にこのサービスの提供を規制することができる。
【００８１】
このとき、送信手段として、サービス制御点からのサービス処理結果を受けると、ＩＳＵＰ回線に適合させて、インテリジェントネットワーク呼である旨の情報を付加した信号を着信局に送る手段、或いはサービス制御点からのサービス処理結果を受けると、発信加入者情報を表すダミー情報を該着信局に送る手段を使用すれば、上記の効果の実現性をより高めることができる。
【００８２】
また、本発明のインテリジェントネットワークに使用される着信交換装置によれば、情報提供サービス専用の信号ルートを収容する入トランクをそなえるとともに、入トランクを通じて入力されてきたサービス交換点からの信号を受けると、着信加入者に着信させる手段をそなえているので、正当な情報提供サービスの要求に対しては的確にこのサービスを提供する一方、情報提供サービスに対するバイパス呼に対しては確実にこのサービスの提供を規制することができる。
【００８３】
なお、このとき、着信加入者の加入者データ上に情報提供サービス表示を持たせておくとともに、入トランクのデータ上に情報提供サービスアクセス表示を設けておき、情報提供サービス専用の信号ルートを使用した着信があると、このときの情報提供サービスアクセス表示と情報提供サービス表示とを比較し、この比較結果に応じて着信加入者に着信させるかどうかを判定し、この判定結果に基づいて着信加入者に着信させることにより、上記の効果の実現性をより高めることができる。
【００８４】
また、本発明のインテリジェントネットワークに使用される着信交換装置では、付加課金の情報提供サービスにかかるインテリジェントネットワーク呼である旨の情報を付加した信号を受けると、付加課金の情報提供サービスを持っている着信加入者に着信させるか否か判断してから、着信加入者に着信させる手段をそなえて構成されているので、同様に、正当な情報提供サービスの要求に対しては的確にこのサービスを提供する一方、情報提供サービスに対するバイパス呼に対しては確実にこのサービスの提供を規制することができる。
【００８５】
このとき、着信加入者の加入者データ上に情報提供サービス表示を持たせ、サービス交換点と当該着信交換装置とを接続するＩＳＵＰ回線を通じて送られてくるインテリジェントネットワーク呼である旨の情報を付加した信号を受信し、受信されたインテリジェントネットワーク呼である旨の情報を付加した信号と情報提供サービス表示とを比較し、この比較結果に応じて着信加入者に着信させるかどうかを判定し、この判定結果に基づいて着信加入者に着信させたり、インテリジェントネットワーク呼である旨の情報を付加した信号を発信加入者情報を表すダミー情報信号として構成するとともに、ダミー情報信号を受信すると着信加入者に着信させたりすることにより、上記の効果の実現性をより高めることができる。
【図面の簡単な説明】
【図１】本発明の原理ブロック図である。
【図２】本発明の第１実施例の概略構成を示すブロック図である。
【図３】本発明の第１実施例を示すブロック図である。
【図４】着信加入者データ構造を説明する図である。
【図５】入トランクグループクラスデータ構造を説明する図である。
【図６】本発明の第１実施例において呼が正常に着信する場合の例を説明するブロック図である。
【図７】本発明の第１実施例において呼が規制される場合の例を説明するブロック図である。
【図８】本発明の第１実施例において呼が正常に着信する場合の例を説明する信号シーケンス図である。
【図９】本発明の第１実施例において呼が規制される場合の例を説明する信号シーケンス図である。
【図１０】本発明の第２実施例を示すブロック図である。
【図１１】ＩＳＵＰメッセージを説明する図である。
【図１２】本発明の第２実施例において呼が正常に着信する場合の例を説明するブロック図である。
【図１３】本発明の第２実施例において呼が規制される場合の例を説明するブロック図である。
【図１４】本発明の第２実施例において呼が正常に着信する場合の例を説明する信号シーケンス図である。
【図１５】本発明の第２実施例において呼が規制される場合の例を説明する信号シーケンス図である。
【図１６】本発明の第３実施例を示すブロック図である。
【図１７】本発明の第３実施例において呼が正常に着信する場合の例を説明するブロック図である。
【図１８】本発明の第３実施例において呼が規制される場合の例を説明するブロック図である。
【図１９】本発明の第３実施例におけるＳＳＰ局での動作を説明するフローチャートである。
【図２０】本発明の第３実施例における着信局での動作を説明するフローチャートである。
【図２１】本発明の第３実施例において呼が正常に着信する場合の例を説明する信号シーケンス図である。
【図２２】本発明の第３実施例において呼が規制される場合の例を説明する信号シーケンス図である。
【図２３】従来例を示すブロック図である。
【符号の説明】
１  発信加入者
２  サービス交換点（サービス交換装置）
２−１  ハント手段
２−２  送信手段
３  サービス制御点（サービス制御装置）
４  着信局（着信交換装置）
４−１，４−２  着信手段
５  着信加入者
７  信号網
７−１，７−２  信号ル−ト
７−３  情報提供サービス専用の信号ルート
７′−１，７′−２  信号回線
７′−３  ＩＳＵＰ回線
８−１〜８−３  出トランク
９−１〜９−３  入トランク
１１  発信加入者
１２  サービス交換点（サービス交換装置）としてのＳＳＰ局
１２Ａ  スイッチ部
１２Ｂ  制御部
１２−１  サービス情報受信部
１２−２  ＳＣＰアクセス部
１２−３  ＳＣＰ通知情報受信部
１２−４  予約回線ハント部（ハント手段）
１２−５  送信部（送信手段）
１２−６  ダミー電番送信部（送信手段）
１３  サービス制御点（サービス制御装置）としてのＳＣＰ局
１３Ａ  データベース
１４  着信局（着信交換装置）
１４Ａ  スイッチ部
１４Ｂ  制御部
１４−１  ＩＰ加入者データテーブル
１４−２  入ＴＧクラスデータ読取部
１４−３  比較部（比較手段）
１４−４  判定部（判定手段）
１４−５  着信部（着信手段）
１４−６  受信部
１４−７  ダミー電番受信部
１５  着信加入者
１６  発信局
１７，１７′  信号網
１７−１〜１７−３，１７′−１〜１７′−３  信号回線
１８−１〜１８−３，１８′−１〜１８′−３  出トランク
１９−１〜１９−３，１９′−１〜１９′−３  入トランク
２０  通話路
２１  トーン接続部
１０１  発信加入者
１０６  発信局
１０２  ＳＳＰ局
１０３  ＳＣＰ局
１０３Ａ  データベース
１０４  着信局
１０５  着信加入者
【図１】
0003659991.tif 000002
【図２】
0003659991.tif 000003
【図３】
0003659991.tif 000004
【図４】
0003659991.tif 000005
【図５】
0003659991.tif 000006
【図６】
0003659991.tif 000007
【図７】
0003659991.tif 000008
【図８】
0003659991.tif 000009
【図９】
0003659991.tif 000010
【図１０】
0003659991.tif 000011
【図１１】
0003659991.tif 000012
【図１２】
0003659991.tif 000013
【図１３】
0003659991.tif 000014
【図１４】
0003659991.tif 000015
【図１５】
0003659991.tif 000016
【図１６】
0003659991.tif 000017
【図１７】
0003659991.tif 000018
【図１８】
0003659991.tif 000019
【図１９】
0003659991.tif 000020
【図２０】
0003659991.tif 000021
【図２１】
0003659991.tif 000022
【図２２】
0003659991.tif 000023
【図２３】
0003659991.tif 000024